(57)【特許請求の範囲】
【請求項１】
襟本体と襟首とからなる襟を備え、前記襟本体が、首回りに配置される上部襟と、上部襟の両端部から下側へ延びる下部襟とを有し、上部襟と下部襟との縫製部分の外側に切欠部を形成した上着における、上部襟の外面側を覆う外装部と、外装部から襟首の内側へ延びる内装部とを有する襟カバーであって、
前記外装部の裾部に上着の襟本体と襟首間へ延びる折返部を連設し、
前記外装部と折返部とを前記切欠部において襟先外へ延ばし、襟先の両端部外において結合して襟先を保持する保持部を形成し、
前記外装部と折返部とを上部襟と下部襟との縫製部分まで延ばして、外装部と折返部の両端部を縫製部分に挿通させたピン部材で結合した、
ことを特徴とする襟カバー。
【請求項２】
前記上着の襟首に設けた吊り下げ用の吊下片に挿通可能な挿通片を内装部に設けた請求項１記載の襟カバー。
【請求項３】
前記内装部と挿通片とに、前記吊下片に挿通させた挿通片の遊端部を内装部に着脱自在に固定するための止め具を設けた請求項２に記載の襟カバー。
【請求項４】
少なくとも外装部と内装部とを遮水性を有するシート材で構成した請求項１〜３のいずれか１項に記載の襟カバー。
【請求項５】
前記内装部の両端部に上着の着用者の前側へ延びる装飾片をそれぞれ連設した請求項１〜４のいずれか１項に記載の襟カバー。
【発明の詳細な説明】
【技術分野】
【０００１】
この発明は、背広やジャケットなどの上着の襟に好適に利用可能な襟カバーに関する。
【背景技術】
【０００２】
背広やジャケットなどの上着の着方として、襟を有するブラウスやカッターなどの上に羽織る着方と、襟を有さないＴシャツやタンクトップなどの上に羽織る着方などが巷で見受けられるが、後者のように襟なしのＴシャツやタンクトップの上に上着を羽織る場合には、着用者の首筋が上着の襟首に直接的に触れて上着の襟首が汚れてしまうという問題がある。
【０００３】
一方、カッターシャツやブラウスなどの襟を有する衣類として、身頃の首周りに磁気吸着や両面テープや面ファスナーなどにより替え襟を着脱自在に取り付けて、替え襟が汗で汚れて変色したり、損傷したりした場合には、新しいものと交換できるように構成したものも提案されている（例えば、特許文献１、２参照。）。また、通常の襟付きのカッターシャツの襟の外面に、両面テープで着脱自在に取り付けられる襟カバーも提案されている（例えば、特許文献３参照。）。
【０００４】
【特許文献１】特開２００１−３３６０１１号公報
【特許文献２】特開２００１−２０１０１号公報
【特許文献３】登録実用新案第３１０１５０３号公報
【発明の開示】
【発明が解決しようとする課題】
【０００５】
ところが、前記特許文献１、２に記載のように、身頃の首周りに対して襟を着脱自在に取り付ける場合には、衣類自体の構成をそれ専用に変更する必要があり、既存のデザインの衣類に適応する場合には、大幅な設計変更が必要となり製作コストが高くなるという問題がある。
【０００６】
一方、特許文献３に記載の襟カバーにおいては、両面テープを襟カバーに予め取り付けておき、使用時には剥離紙を剥がして、襟カバーを両面テープで衣類の襟に取り付けるように構成されており、襟カバーを洗濯して再利用できるようには構成されておらず、使い捨てであるため、環境に配慮した商品ではなかった。
【０００７】
本発明の目的は、容易に且つ確実に上着の襟に対して着脱可能で、しかも洗濯して何度でも使用可能な襟カバーを提供することである。
【課題を解決するための手段】
【０００８】
本発明に係る襟カバーは、襟本体と襟首とからなる襟を備え、前記襟本体が、首回りに配置される上部襟と、上部襟の両端部から下側へ延びる下部襟とを有し、上部襟と下部襟との縫製部分の外側に切欠部を形成した上着における、上部襟の外面側を覆う外装部と、外装部から襟首の内側へ延びる内装部とを有する襟カバーであって、前記外装部の裾部に上着の襟本体と襟首間へ延びる折返部を連設し、前記外装部と折返部とを前記切欠部において襟先外へ延ばし、襟先の両端部外において結合して襟先を保持する保持部を形成し、前記外装部と折返部とを上部襟と下部襟との縫製部分まで延ばして、外装部と折返部の両端部を縫製部分に挿通させたピン部材で結合したものである。
【０００９】
この襟カバーを上着に取り付ける際には、外装部を襟本体の外面側に重ね合わせるとともに、折返部を上着の襟本体と襟首間へ挿入し、更に内装部を上着の襟首の内側に沿って配置させて、折返部と内装部とで襟カバーを上着に固定して取り付けることになる。このように、この襟カバーでは、上着自体に何ら加工を施すことなく取り付けることができ、既存の上着に対しても取り付けることができるので、上着自体の構成を変更する場合と比較して、安価に且つ手軽に実施することができる。また、両面テープや磁力により取り付ける場合とは異なり、襟カバーを洗濯して何度でも使用できるので、経済的であるとともに、上着全体を洗濯する場合と比較して洗剤の使用量を少なくでき、しかも廃棄する場合でも廃棄物を少なくできるので、環境に優しい商品となる。しかも、折返部と内装部を設けるという簡単な構成により、襟カバーを確実に上着の襟に固定することができる。尚、上着は、素材や色や形状などがそれぞれ微妙に異なるので、この襟カバーは、上着に適合する素材や色や形状にしたものを、上着とともにセット販売することが好ましい。
【００１０】
また、前記外装部と折返部とを前記切欠部において襟先外へ延ばし、襟先の両端部外において結合して襟先を保持する保持部を形成しているので、外装部と折返部の両端部に形成された保持部を上着の襟本体の襟先に嵌め込むことで、襟カバーを上着の襟に対して更に安定性良く取り付けることができるとともに、外装部の襟先側が捲れ上がったりすることを防止できる。しかも、外装部と折返部の襟先側の端部を接着したり縫製したりすることで容易に保持部を形成することができる。また、外装部と折返部の襟先側の端部を上着の襟先に沿って配置できるので、上着と襟カバーとの一体感を高めて、デザイン的にスッキリしたものになるとともに、襟カバーを取り付けることによる上着のデザイン性の低下を防止できる。
【００１１】
更に、前記上着の襟本体が、首回りに配置される上部襟と、上部襟の両端部から下側へ延びる下部襟とを有し、前記外装部と折返部とを上部襟と下部襟との縫製部分まで延ばして、外装部と折返部の両端部を縫製部分に挿通させたピン部材で結合することで、上部襟と下部襟の縫製部分にピン部材を挿通させて、外装部と折返部の襟先側の端部を上着の襟に固定できるので、上着を傷めることなく襟カバーを上着の襟に対して一層安定性良く固定することができる。
【００１２】
前記上着の襟首に設けた吊り下げ用の吊下片に挿通可能な挿通片を内装部に設けることも好ましい実施の形態である。このように構成すると、上着に設けられている吊下片を有効活用して、襟カバーの内装部を上着に対して安定性良く固定することができる。また、この場合には、挿通片を吊下片に挿通させたり、挿通させた挿通片を上着の襟首側へ折り返したりしただけでも、襟カバーを安定性良く固定できるが、前記内装部と挿通片とに、前記吊下片に挿通させた挿通片の遊端部を内装部に着脱自在に固定するための止め具を設けると、上着の吊下片に挿通させた挿通片が、吊下片から脱落することを確実に防止できる。
【００１３】
少なくとも外装部と内装部とを遮水性を有するシート材で構成することも好ましい実施の形態である。遮水性を有するシート材としては、合成樹脂材料からなるシート材や、合成樹脂材料からなるシート材と織布や不織布などからなる布体との積層シート材を好適に採用できる。このようなシート材を用いると、上着の着用者の汗が襟カバーを通って上着の襟首に染込むことを防止して、汗による上着の汚れを確実に防止することができる。また、合成樹脂材料からなるシート材で構成すると、襟カバーに付着した汗を拭き取ることで、襟カバーを何度でも再利用することができ、また合成樹脂材料からなるシート材と織布や不織布などからなる布体との積層シート材を用いると、布体を外面側に配置させることで、肌触りの良い襟カバーを実現できる。
【００１４】
前記内装部の両端部に上着の着用者の前側へ延びる装飾片をそれぞれ連設することも好ましい実施の形態である。この場合には、１対の装飾片の端部同士をピンやブローチ等で固定したり、棒ネクタイのように装飾片の途中部をリングで結合したり、両装飾片を結んだりすることで、着用者の首周りに装飾を施すことができ、襟カバーに利用者の胸元を装飾するという新たな機能を付与することができる。
【発明の効果】
【００１５】
本発明に係る襟カバーによれば、上着自体に何ら加工を施すことなく取り付けることができ、既存の上着に対しても取り付けることができるので、上着自体の構成を変更する場合と比較して、安価に且つ手軽に実施することができる。また、両面テープや磁力により取り付ける場合とは異なり、襟カバーを洗濯して何度でも使用できるので、経済的であるとともに、上着全体を洗濯する場合と比較して洗剤の使用量を少なくでき、しかも廃棄する場合でも廃棄物を少なくできるので、環境に優しい商品となる。しかも、折返部と内装部を設けるという簡単な構成により、襟カバーを確実に上着の襟に固定することができる。また、外装部と折返部の両端部に形成された保持部を上着の襟本体の襟先に嵌め込むことで、襟カバーを上着の襟に対して更に安定性良く取り付けることができるとともに、外装部の襟先側が捲れ上がったりすることを防止できる。しかも、外装部と折返部の襟先側の端部を接着したり縫製したりすることで容易に保持部を形成することができる。また、外装部と折返部の襟先側の端部を上着の襟先に沿って配置できるので、上着と襟カバーとの一体感を高めて、デザイン的にスッキリしたものになるとともに、襟カバーを取り付けることによる上着のデザイン性の低下を防止できる。更に、上部襟と下部襟の縫製部分にピン部材を挿通させて、外装部と折返部の襟先側の端部を上着の襟に固定できるので、上着を傷めることなく襟カバーを上着の襟に対して一層安定性良く固定することができる。
【発明を実施するための最良の形態】
【００１６】
次に、本発明の実施の形態について、図面を参照しながら説明する。
先ず、襟カバー１０を取り付ける上着１について説明する。
図１、図２に示す上着１は、女性用のジャケットで、着用者の胴体に外装される前身頃２及び後身頃３と、着用者の左右の腕に外装される１対の袖４と、着用者の首周りに沿って配置される襟首５と襟首５の上端部から身頃２、３側へ延設した襟本体６とからなる襟７とを備え、襟本体６を、首回りに配置される上部襟６Ｕと、上部襟６Ｕの両端部から下側へ延びる下部襟６Ｄとに分割構成した、周知の構成のものである。ただし、上着１としては、襟７なしのタンクトップやブラウスやカッターシャツなどの上に直接羽織ることができる上着であれば、女性用のスーツやブレザーなどの上着でも、男性用の背広やブレザーなどの上着に対しても本発明を同様に適用できる。また、襟７として、下部襟６Ｄを備えていない、上部襟６Ｕと襟首５とからなる襟を備えた上着に対しても、本発明を同様に適用できる。
【００１７】
図１〜図５に示すように、襟カバー１０は、上着１の上部襟６Ｕの外面側を覆う外装部１１と、外装部１１から上着１の襟首５の内側へ延びる内装部１２と、外装部１１の裾部１１ａに連設した折返部１３と、内装部１２の両端部に連設した１対の帯状の装飾片１４とを備えている。この襟カバー１０は、外装部１１を上部襟６Ｕの外面上に載置するとともに、折返部１３を上着１の上部襟６Ｕと襟首５間へ挿入し、更に内装部１２を上着１の襟首５の内側に沿って配置させて、上着１の襟７に取り付けられている。また、利用者が上着１を着用することで、上部襟６Ｕと襟首５間に折返部１３が挟持されて、襟７に対して襟カバー１０を更に強固に固定できるように構成されている。更に、１対の装飾片１４を着用者の首部の前側でピン部材１５により結合して、着用者の胸元や首周りを装飾できるように構成されている。
【００１８】
襟カバー１０の素材としては、上着１の襟７と同種の素材で構成することも可能であるが、それ以外の任意の素材で構成することもできる。特に、遮水性を有する合成樹脂製のシート材や、合成樹脂材料からなるシート材と織布や不織布などからなる布体との積層シート材を好適に採用できる。このようなシート材を用いると、着用者の汗が襟カバー１０を通って上着１の上部襟６Ｕに染込むことを防止して、汗による上着１の汚れを確実に防止することができる。また、合成樹脂材料からなるシート材で構成すると、襟カバー１０に付着した汗を拭き取ることで、襟カバー１０を何度でも再利用することができ、また合成樹脂材料からなるシート材と織布や不織布などからなる布体との積層シート材を用いると、布体を外面側に配置させることで、肌触りの良い襟カバー１０を実現できる。また、襟カバー１０を形状記憶繊維や形状記憶シートで構成して、襟カバー１０に上着１に取り付けた図３の状態での形状を記憶させると、襟カバー１０を上着１に対して一層安定性良く固定できるので好ましい。更に、襟カバー１０の色や柄は、デザイン性を考慮して、上着１の色や柄などに応じて設定することができ、例えば上着１の共布を用いるなどして、上着１と同じ色や同じ柄に設定することもできる。
【００１９】
外装部１１は上部襟６Ｕと同じ大きさで同じ形状に形成され、内装部１２は、外装部１１の上縁の全長にわたって外装部１１に連設され、襟首５に適合する形状及び大きさに形成されている。ただし、図６に示す襟カバー１０Ａのように、外装部１１及び内装部１２に代えて、左右方向の長さを上着１の襟首５と着用者との接触部分が少なくとも覆われる長さに設定した外装部１１Ａ及び内装部１２Ａを設けることもできる。また、外装部１１は、上着１のデザイン性を向上可能な任意の形状に形成することも可能である。
【００２０】
折返部１３は、外装部１１の襟裾１１ａの左右方向の中央部に連設されている。折返部１３の左右方向の大きさは任意に設定可能で、図４に示すように、外装部１１の襟裾１１ａの左右方向の長さよりも短尺に形成することも可能であるし、図７に示す襟カバー１０Ｂのように、外装部１１の裾部１１ａの全長にわたって折返部１３Ｂを設けることも可能である。また、襟カバー１０を上着１の上部襟６Ｕ及び襟首５に沿った立体形状に折曲させた状態で、折返部１３に皺が寄らないよう、折返部１３の左右方向の途中部に切り込みを入れて、複数に分割構成することも可能である。折返部１３の幅は、上着１の襟本体６の幅よりも小さい幅であれば任意の幅に設定することができるが、襟カバー１０が上着１から脱落しないように、少なくとも左右方向の途中部において、遊端部が上部襟６Ｕと襟首５の折返部分近くに配置されるような幅に設定することになる。
【００２１】
図８に示す襟カバー１０Ｃのように、折返部１３の両側縁に外方へ延びる補強片１６を連設し、この補強片１６を仮想線で示すように折り返して折返部１３に重ね合わせた状態で、これを上着１の上部襟６Ｕと襟首５間に挿入して、襟カバー１０を上着１に固定するように構成することも可能である。補強片１６は予め折返部１３に重ね合わせて縫製することもできるし、使用時に折返部１３に重ね合わせることも可能である。
【００２２】
装飾片１４は、襟カバー１０と一体部材で襟カバー１０に連続的に設けることもできるし、襟カバー１０とは別部材で構成して、襟カバー１０に着脱自在或いは縫製などにより一体的に取り付けることもできる。装飾片１４を襟カバー１０とは別部材で構成する場合には、棒ネクタイや捻りネクタイやスカーフなどの布状部材を取り付けることもできるし、チェーンなどの金属部材を取り付けることもできる。このような装飾片１４を設けると、襟カバー１０に対して、カバーとしての機能以外に、利用者の胸元や首筋を装飾する装飾機能を付与することができ、しかも襟７に対する襟カバー１０の取り付け安定性を高めることができるので好ましい。但し、この装飾片１４は、必須の構成ではなく、省略することも可能である。
【００２３】
この襟カバー１０においては、輸送時や保管時等において嵩張らないように、図４に示すような平板状の展開姿勢の状態で流通することになり、利用者が襟カバー１０を上着１の襟７に取り付ける際には、例えば外装部１１を上部襟６Ｕの上側に重ね合わせた状態で、折目線Ｌ１に沿って内装部１２を上着１の襟首５の内側に折り返して、襟首５の内面に沿って配置させるとともに、折目線Ｌ２に沿って折返部１３を折り返して、上着１の上部襟６Ｕと襟首５間に挿入し、内装部１２と折返部１３とで襟カバー１０を襟７に固定保持することになる。また、上着１を着用した状態で、左右の装飾片１４を利用者の首の前側においてピン部材１５で固定して、利用者の首周りを装飾するとともに、装飾片１４によっても襟カバー１０を上着１に固定することになる。
【００２４】
このように、この襟カバー１０では、折返部１３を上着１の上部襟６Ｕと襟首５間に挟持することで、襟カバー１０を上着１の襟７に固定できるので、上着１に何ら加工を施すことなく襟カバー１０を上着１に取り付けることができ、上着１自体の構成を変更する場合と比較して、安価に且つ手軽に実施することができる。また、襟カバー１０に両面テープ等を設けないので、襟カバー１０を洗濯して何度でも繰り返し使用することができるとともに、上着１を洗濯する場合と比較して洗剤の使用量を少なくできるので経済的で、しかも廃棄する場合でも廃棄物を少なくできるので、環境に優しい商品となる。装飾片１４により着用者の胸元や首周りを装飾でき、襟カバー１０と装飾片１４の組み合わせを変更することで、利用者の好みに応じたコーディネートが可能となる。
【００２５】
次に、折返部１３による襟カバー１０の固定構造に併用して使用可能な補助固定構造の実施の形態について説明する。
図９、図１０に示す襟カバー１０Ｄのように、外装部１１Ｄと折返部１３Ｄに上部襟６Ｕの襟先７ａ外へ延びる接合部１７を形成し、上部襟６Ｕと下部襟６Ｄ間に形成した切欠部８内において、両接合部１７を縫製したり接着したりして結合し、外装部１１Ｄ及び折返部１３Ｄの襟先の隅部に三角形袋状の保持部１８を形成して、この保持部１８に上部襟６Ｕの襟先７ａを保持させて、襟カバー１０Ｄを上着１の上部襟６Ｕに固定することもできる。この場合には、外装部１１Ｄの襟先側が捲れ上がることを防止して、襟カバー１０Ｄを取り付けた状態での上着１の外観を向上することができる。
【００２６】
また、他の補助固定構造として、外装部１１Ｄと折返部１３Ｄに上部襟６Ｕと下部襟６Ｄの縫製部分９まで延びる接合部１９を形成し、両接合部１９を縫製部分９に挿通させた針状の複数のピン部材２０で結合することもできる。この場合には、ピン部材２０を突き刺すことによる上着１の損傷を防止しつつ、襟カバー１０Ｄを一層安定性良く固定することができる。
【００２７】
更に、他の補助固定構造として、上着１の襟首５に設けた吊り下げ用の吊下片５ａを利用して、襟カバー１０Ｄを襟７に対して固定するように構成することもできる。具体的には、襟カバー１０Ｄの内装部１２に吊下片５ａに挿通可能な挿通片２１を設け、この挿通片２１の遊端部を折返して下側から吊下片５ａに挿入し、挿通片２１を吊下片５ａに係合させて、襟カバー１０Ｄを襟７に固定することができる。また、図１１に示すように、挿通片２１の遊端部と挿通片２１の基部付近において内装部１２に相互に係脱可能な止め具としての１対の面ファスナー２２、２３を設け、挿通片２１を吊下片５ａに挿入して上側へ折返し、両面ファスナー２２、２３を係合させて、襟カバー１０Ｄを襟７に固定することができる。尚、止め具としては、面ファスナー２２、２３以外にボタンやスナップボタンなどを用いることもできる。また、前述した補助固定構造は、折返部１３Ｄによる固定構造の補助として、単独或いは任意に組み合わせて用いることができる。
【図面の簡単な説明】
【００２８】
【図１】襟カバーを取り付けた状態での上着の正面図
【図２】上着の襟付近の正面図
【図３】襟カバーを取り付けた状態での上着の襟付近の正面図
【図４】襟カバーの展開図
【図５】図３のＶ−Ｖ線断面図
【図６】他の実施形態の襟カバーの展開図
【図７】他の実施形態の襟カバーの展開図
【図８】他の実施形態の襟カバーの展開図
【図９】他の実施形態の襟カバーを取り付けた上着の襟付近の正面図
【図１０】同襟カバーの展開図
【図１１】他の実施形態の襟カバーを取り付けた上着の襟付近の正面図
【符号の説明】
【００２９】
１      上着              ２      前身頃
３      後身頃            ４      袖
５      襟首              ５ａ    吊下片
６      襟本体            ６Ｄ    下部襟
６Ｕ    上部襟            ７      襟
７ａ    襟先              ８      切欠部
９      縫製部分
１０    襟カバー          １１    外装部
１１ａ  裾部              １２    内装部
１３    折返部            １４    装飾片
１５    ピン部材
１０Ａ  襟カバー          １１Ａ  外装部
１２Ａ  内装部
１０Ｂ  襟カバー          １３Ｂ  折返部
１０Ｃ  襟カバー          １６    補強片
１０Ｄ  襟カバー          １１Ｄ  外装部
１３Ｄ  折返部            １７    接合部
１８    保持部            １９    接合部
２０    ピン部材          ２１    挿通片
２２    挿通片            ２３    面ファスナー
Ｌ１    折目線            Ｌ２    折目線
【図１】
0005076941.tif 000002
【図２】
0005076941.tif 000003
【図３】
0005076941.tif 000004
【図４】
0005076941.tif 000005
【図５】
0005076941.tif 000006
【図６】
0005076941.tif 000007
【図７】
0005076941.tif 000008
【図８】
0005076941.tif 000009
【図９】
0005076941.tif 000010
【図１０】
0005076941.tif 000011
【図１１】
0005076941.tif 000012